(57)【要約】【課題】一般の人が手軽に波の力を利用して携帯型端末器に電力を供給できる卓上ホルダを提供することを目的とする。【解決手段】本発明に係る卓上ホルダ３０１は、携帯型端末器９５を嵌め込むホルダ部１１と、水が出入りする孔１５を有し、平面上でホルダ部１１を支える底面部１２と、底面部１２の孔１５から入り込んだ水の波で発電する波力発電部１３と、波力発電部１３で発電した電力をホルダ部１１に嵌め込まれた携帯型端末器９５に供給する電力供給部１４と、を有する本体１０を備える。【選択図】図１
2011050223.tif 000002
【特許請求の範囲】
【請求項１】
携帯型端末器を嵌め込むホルダ部と、
水が出入りする孔を持ち、平面上で前記ホルダ部を支える底面部と、
前記底面部の前記孔から入り込んだ水の波で発電する波力発電部と、
前記波力発電部で発電した電力を前記ホルダ部に嵌め込まれた前記携帯型端末器に供給する電力供給部と、
を有する本体を備える卓上ホルダ。
【請求項２】
前記本体を壁に固定する固定部をさらに備えることを特徴とする請求項１に記載される卓上ホルダ。
【請求項３】
前記電力供給部は、前記波力発電部が発電した電力を一時的に蓄えておく補助電池を含むことを特徴とする請求項１又は２に記載される卓上ホルダ。
【請求項４】
前記波力発電部は、コイル、及び前記底面部の前記孔から入り込んだ水の波で前記コイル内を往復運動する棒状の磁石を含むことを特徴とする請求項１から３のいずれかに記載される卓上ホルダ。
【請求項５】
前記本体は、前記電力供給部への水の浸入を防ぐ防水手段をさらに有することを特徴とする請求項１から４のいずれかに記載される卓上ホルダ。
【請求項６】
前記本体は、
外部から外部電力を取り入れ、前記電力供給部を経由して前記携帯型端末器に該外部電力を供給する外部端子と、
外部端子からの水の浸入を防ぐキャップと、
をさらに有することを特徴とする請求項１から５のいずれかに記載される卓上ホルダ。
【請求項７】
ホルダ部に携帯型端末器を嵌め込まれた卓上ホルダの底面部が水中にあり、前記携帯型端末器が水上にあるように前記卓上ホルダを固定する固定手順と、
前記卓上ホルダの底面部が有する孔から入り込んだ水の波で発電する波力発電手順と、
前記波力発電手順で発電した電力を前記携帯型端末器に供給する電力供給手順と、
を行う電力供給方法。
【請求項８】
前記電力供給手順は、発電した電力を補助電池に一時的に蓄えておく過程を有することを特徴とする請求項７に記載される電力供給方法。
【請求項９】
前記波力発電手順は、水の波で棒状の磁石をコイル内を往復運動させ、発電することを特徴とする請求項７又は８に記載される電力供給方法。
【請求項１０】
通常時に、
外部端子から外部電力を取り入れて、前記ホルダ部に嵌め込まれた前記携帯型端末器に該外部電力を供給する外部電力導入手順を行い、
水の波で発電するときに、
水の浸入を防ぐキャップを前記外部端子に被せる被覆手順を行い、前記固定手順、前記波力発電手順及び前記電力供給手順を行うことを特徴とする請求項７から９のいずれかに記載される電力供給方法。
【発明の詳細な説明】
【技術分野】
【０００１】
本発明は、携帯型端末器に電力を供給する卓上ホルダに関する。
【背景技術】
【０００２】
ＧＰＳ、加速度センサやワンセグ機能などによって携帯電話が多機能化すると、それに伴ってユーザが携帯電話を使用する用途、シチュエーション、そして時間が増え続けている。また、人類が日々生活する中で欠かすことの出来ない入浴においても、マッサージのためにジェットバスだったり、健康のために半身浴だったりと、入浴を楽しみながら長時間入るスタイルが増えている。しかしながら、ユーザは防水構造とワンセグ機能を備えた携帯電話でテレビを視聴しながら入浴することが可能であるが、バッテリーが十分に充電されていない携帯電話を持ち込むと、バッテリーの容量が足りずに途中で充電切れになりテレビの視聴ができなくなってしまうことがある。このような状況において、入浴中でも携帯電話でテレビを視聴しながらバッテリー切れにならないよう電気を供給する手段が望まれている。
【０００３】
例えば、波の力を利用して発電する波力発電装置の一例が特許文献１に記載されている。特許文献１の波力発電装置は、浮動体上の囲壁内に重量物を弾性部材の空気ばねで弾性支持し、重量物と浮動体間に電磁ダンパーの発電手段を設けて構成されている。特許文献１の波力発電装置は、重量物とこれを支持する弾性部材の系の振動を波の振動に共振させて大きな運動エネルギーを生じさせ、電磁ダンパーの発電手段により電気エネルギーを得る。
【０００４】
一方、小型で振動エネルギーを電気エネルギーに変換する携帯型発電機の一例が特許文献２に記載されている。特許文献２の携帯型発電機は、充電可能なバッテリーと、筒状コイルと、コイルの軸芯部分に挿入されると共に軸方向に移動可能にバネで保持された棒状の永久磁石と、整流器と、で構成されている。特許文献２の携帯型発電機は、携帯時の振動や揺動に基づく永久磁石の軸方向振動によりコイルに発生する交流電圧を整流器で整流し、整流された直流電圧でバッテリーを充電する。
【先行技術文献】
【特許文献】
【０００５】
【特許文献１】国際公開公報ＷＯ２００５／０４０６０３
【特許文献２】特開２００２−３７４６６１号公報
【発明の概要】
【発明が解決しようとする課題】
【０００６】
しかしながら、特許文献１の波力発電装置は、大きな発電量を得ることを目的としており、一般家庭の浴槽内の水の波で携帯型端末器に電力を供給することができないという問題点があった。また、特許文献２の携帯型発電機は、振動エネルギーを電気エネルギーに変換することを目的としており、一般家庭の浴槽内の水の波で携帯型端末器に電力を供給することができないという問題点があった。
【０００７】
そこで、本発明の目的は、上述した課題である、一般の人が手軽に波の力を利用して携帯型端末器に電力を供給できる卓上ホルダを提供することにある。
【課題を解決するための手段】
【０００８】
上記目的を達成するために、本発明に係る卓上ホルダは、携帯型端末器を嵌め込むホルダ部と、水が出入りする孔を持ち、平面上で前記ホルダ部を支える底面部と、前記底面部の前記孔から入り込んだ水の波で発電する波力発電部と、前記波力発電部で発電した電力を前記ホルダ部に嵌め込まれた前記携帯型端末器に供給する電力供給部と、を有する本体を備える。
【０００９】
上記目的を達成するために、本発明に係る電力供給方法は、ホルダ部に携帯型端末器を嵌め込まれた卓上ホルダの底面部が水中にあり、前記携帯型端末器が水上にあるように前記卓上ホルダを固定する固定手順と、前記卓上ホルダの底面部が有する孔から入り込んだ水の波で発電する波力発電手順と、前記波力発電手順で発電した電力を前記携帯型端末器に供給する電力供給手順と、を行う。
【発明の効果】
【００１０】
本発明によれば、一般の人が手軽に波の力を利用して携帯型端末器に電力を供給できる卓上ホルダを提供することができる。
【図面の簡単な説明】
【００１１】
【図１】本発明に係る卓上ホルダを説明する構成図である。
【図２】本発明に係る卓上ホルダの波力発電部の一例を説明する図である。
【図３】本発明に係る卓上ホルダの組立図である。
【図４】本発明に係る卓上ホルダの６面図である。
【図５】本発明に係る卓上ホルダの断面図である。
【図６】本発明に係る卓上ホルダのホルダ部と波力発電部との合せ面を説明する図である。
【図７】本発明に係る卓上ホルダの充電端子付近を説明する図である。
【図８】本発明に係る卓上ホルダの波力発電部付近を説明する図である。
【図９】本発明に係る電力給電方法を説明するフローチャートである。
【図１０】本発明に係る電力給電方法を説明するフローチャートである。
【発明を実施するための形態】
【００１２】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１３】
（実施形態１）
図１は、本実施形態の卓上ホルダ３０１を説明する構成図である。卓上ホルダ３０１は、携帯型端末器９５を嵌め込むホルダ部１１と、水が出入りする孔１５を有し、平面上でホルダ部１１を支える底面部１２と、底面部１２の孔１５から入り込んだ水の波で発電する波力発電部１３と、波力発電部１３で発電した電力をホルダ部１１に嵌め込まれた携帯型端末器９５に供給する電力供給部１４と、を有する本体１０を備える。
【００１４】
携帯型端末器９５は、例えば、携帯電話機やＰＨＳ（Ｐｅｒｓｏｎａｌ  Ｈａｎｄｙ−ｐｈｏｎｅ  Ｓｙｓｔｅｍ）である。携帯型端末器９５は防水構造とする。ホルダ部１１は、携帯型端末器９５を取り付けられる形状を持ったＢＯＸタイプである。
【００１５】
底面部１２は、卓上ホルダ３０１を卓上に置いたときに倒れたり、移動したりしない形状とする。例えば、底面部１２は平面とすることができる。また、底面部１２は３個以上の突起を持ち、その突起で卓上ホルダ３０１を支えてもよい。さらに、底面部１２は水が出入りする孔１５を有する。孔１５は複数であることが望ましい。
【００１６】
波力発電部１３は、孔１５からの水の出入りを利用して発電する。図２は、波力発電部１３の一例を説明する図である。波力発電部１３は、コイル２５、及び底面部１２の孔１５から入り込んだ水の波でコイル２５内を往復運動する棒状の磁石２４を含む。孔１５から水が出入りすることで磁石２４がコイル２５の中心で上下移動を繰り返す。これにより、コイル２５内の磁束が変化しコイル２５にファラデーの電磁誘導の法則によって誘導電流が発生する。
【００１７】
電力供給部１４は、波力発電部１３で発生した誘導電流を集め、携帯型端末器の規格に合う電圧に調整し、携帯型端末器９５に電力として供給する。例えば、携帯型端末器９５が充電端子の雌部を持つ場合、ホルダ部１１は携帯型端末器９５が嵌め込まれたときに該充電端子の雌部と嵌合する雄部を持ち、この雄部から携帯型端末器９５に電力として供給することができる。この場合、充電端子の雌部と雄部に水が侵入しないようにしておく。例えば、携帯型端末器９５をホルダ部１１に嵌め込んだとき、携帯型端末器９５とホルダ部１１との隙間が生じないようにするゴム部を、ホルダ部１１はＢＯＸ内に持っていてもよい。
【００１８】
卓上ホルダ３０１は、本体１０を防水構造とし、波力発電部１３を搭載することによって、商用電源が無くとも水面上で波を利用して発電し、携帯型端末器９５の充電ができる。例えば、ホルダ部１１が水上にあり、底面部１２が水中にあるように卓上ホルダ３０１を浴槽などに固定することで、波力発電部１３は水面の波で発電することができる。従って、卓上ホルダ３０１は、一般の人が手軽に波の力を利用して携帯型端末器に電力を供給することができる。そして、卓上ホルダ３０１は、波の力で発電するためコードレスにすることができる。例えば、利用者は、入浴しながらテレビを視聴するためにワンセグ機能付きで防水構造を持った携帯電話を長時間使用することが可能である。
【００１９】
（実施形態２）
図３は、本実施形態の卓上ホルダ３０２の組立図である。図３（ａ）は卓上ホルダ３０２の正面が見える位置から描いたものであり、図３（ｂ）は卓上ホルダ３０２の背面が見える位置から描いたものである。図４は、卓上ホルダ３０２の６面図である。図５は、卓上ホルダ３０２の断面図である。卓上ホルダ３０２は、底面部１２、波力発電部１３、電力供給部１４、ホルダ部１１、固定部３４、及び防水手段３５を有する。電力供給部１４は、発電システム３１、補助電池３２、及び回路基板３３からなる。
【００２０】
固定部３４は、本体１０を壁に固定する。固定部３４は、例えば、ホルダ部１１の背面に取り付けられる吸盤である。波力発電部１３は、図２で説明したコイル２５と磁石１４の組を複数持つ。そして、底面部１２は、コイル２５と磁石１４の組の数だけ孔１５を持つ。孔１５は、それぞれ磁石１４が稼動する空間に水が入り込める底面部１２位置に配置される。
【００２１】
発電システム３１は、波力発電部１３のコイル２５で発生した誘導電流を集めて回路基板３３に出力する。回路基板３３では、発電システム３１からの電流を所定電圧の電力として携帯型端末器９５に供給する。補助電池３２は、波力発電部１３が発電した電力を一時的に蓄えておく。
【００２２】
防水手段３５は、外部から電力供給部１４への水の浸入を防ぐ。防水手段３５は、例えば、Ｏリングやゴムパッキンである。
【００２３】
卓上ホルダ３０２は、ホルダ部１１と波力発電部１３とで形成される筐体内に電力供給部１４が内包された構造である。図６は、図５のＡの部分を拡大したものであり、ホルダ部１１と波力発電部１３との合せ面を説明する図である。卓上ホルダ３０２は、ホルダ部１１と波力発電部１３との合せ面に配した防水手段３５を潰すことでホルダ部１１と波力発電部１３との隙間を無くし水の浸入を防ぐ構造となっている。
【００２４】
図７は、図５のＢの部分を拡大したものであり、ホルダ部１１から携帯型端末器９５へ電力供給する充電端子（７３、９３）付近を説明する図である。卓上ホルダ３０２は、携帯型端末器９５の充電端子９３と接触できるホルダ部１１の位置に充電端子７３を持つ。充電端子７３は回路基板３３と接続しており、回路基板３３から携帯型端末器９５へ電力を供給することができる。また、卓上ホルダ３０２は、ホルダ部１１と充電端子７３との隙間に水が浸入するのを防ぐＯリング７２を配置する。
【００２５】
図８は、図５のＣの部分を拡大したものであり、波力発電部１３付近を説明する図である。波力発電部１３は、窪み８１を持ち、窪み８１内に磁石２４が配置され、窪み８１の外側周囲にコイル２５が配置される構造である。窪み８１の数は、発電量に応じて決定すればよく、例えば６４個である。また、窪み８１は底面部１２で蓋をされる。
【００２６】
磁石２４は、孔１５から水が出入りすることでコイル２５の中心で上下移動を繰り返す。これによりコイル２５は電磁誘導の法則によって電流を発生する。そして、発電システム３１は、コイル２５で発生した電流を集め、オンボードコンタクト７１を通して回路基板３３に出力する。回路基板３３は、発電システム３１からの電流について電圧を調整し、充電端子７３を介して携帯型端末器９５へ供給する。また、回路基板３３は、発電システム３１からの電流を補助電池３２に蓄積してもよい。
【００２７】
（電力給電方法）
次に、卓上ホルダ３０２の電力給電方法について説明する。図９は、本電力給電方法を説明するフローチャートである。本電力給電方法は、ホルダ部１１に携帯型端末機器９５を嵌め込まれた卓上ホルダ３０２の底面部１２が水中にあり、携帯型端末機器９５が水上にあるように卓上ホルダ３０２を固定する固定手順Ｓ０１と、卓上ホルダの底面部１２が有する孔１５から入り込んだ水の波で発電する波力発電手順Ｓ０２と、波力発電手順Ｓ０２で発電した電力を携帯型端末機器９５に供給する電力供給手順Ｓ０３と、を行う。
【００２８】
まず、固定手順Ｓ０１を説明する。ユーザは、卓上ホルダ３０２と携帯型端末器９５を一緒に持って浴室に入る。ユーザは、卓上ホルダ３０２の後部に付いている固定部３４で浴槽の内壁に卓上ホルダ−３が水面の上を波で動かないように固定する。このとき、ユーザは、卓上ホルダ３０２全体の２分の１が浴槽内の水に浸かるように底面部１２を水中に入れ、固定する。そして、ユーザは、浴槽内壁に固定された卓上ホルダ３０２のホルダ部１１に携帯型端末器９５を嵌め込む。携帯型端末器９５のバッテリーに電力があれば、ユーザは、卓上ホルダ３０２に固定された携帯型端末器９５でテレビ視聴等することができる。
【００２９】
次に、波力発電手順Ｓ０２を説明する。波力発電手順Ｓ０２は、水の波で棒状の磁石２４をコイル２５内を往復運動させ、発電する。ジェットバスのジェットノズルから噴射される水や泡、またはユーザが動くことで、浴槽内の水面に波が発生する。浴槽内壁に固定された卓上ホルダ３０２の底面部１２の孔１５から窪み８１内に入った水の波で磁石２４は上下に振動を始める。コイル２５と一対である磁石２４がコイル２５の中心部を上下に振動することで、コイル２５内の磁束が変化し、コイル２５はファラデーの電磁誘導の法則によって誘導電流を発生する。
【００３０】
続いて、電力供給手順Ｓ０３を説明する。コイル２５で発生した電流は発電システム３１で集められ、回路基板３３を介して充電端子７３から携帯型端末器９５へ供給される。
【００３１】
よって、波の発生した水面に卓上ホルダ３０２を固定し、卓上ホルダ３０２に携帯型端末器９５を嵌め込むだけで、波から発生した誘導電流によって卓上ホルダ３０２から携帯型端末器９５に電力が常に供給されるため、ユーザは長時間の入浴でも充電切れを気にすることなくテレビ視聴等をすることが可能である。
【００３２】
ここで、電力供給手順Ｓ０３は、発電した電力を補助電池３２に一時的に蓄えておく過程を有してもよい。卓上ホルダ３０２は、波力発電手順Ｓ０２で発生した電力が携帯型端末器９５に供給される電力を上回った場合、余剰電力を補助電池３２に蓄える。卓上ホルダ３０２は、波の発生が無いあるいは少ないために十分な電力を発電できない状況でも補助電池３２に蓄えられた電力を携帯型端末器９５に供給できる。このため、卓上ホルダ３０２は、テレビ視聴等の中断を避けることができる。
【００３３】
卓上ホルダ３０２は、本体１０に、外部から外部電力を取り入れ、電力供給部１４を経由して携帯型端末機器９５に該外部電力を供給する外部端子（不図示）と、外部端子からの水の浸入を防ぐキャップ（不図示）と、をさらに有してもよい。図１０は、他の本電力給電方法を説明するフローチャートである。ユーザは、通常時に、外部端子から外部電力を取り入れて、ホルダ部１１に嵌め込まれた携帯型端末機器９５に該外部電力を供給する外部電力導入手順Ｓ１２を行う。卓上ホルダ３０２は、通常時、卓上において商用電源を利用して携帯型端末器９５のバッテリーを充電することができる。また、補助電池３２は、この外部端子から供給された外部電力を一時的に蓄えてもよい。
【００３４】
ユーザが浴室で卓上ホルダ３０２を使用するときに、水の浸入を防ぐキャップを外部端子に被せる被覆手順Ｓ１３を行い、固定手順Ｓ０１、波力発電手順Ｓ０２及び電力供給手順Ｓ０３を行う。
【符号の説明】
【００３５】
１０：本体
１１：ホルダ部
１２：底面部
１３：波力発電部
１４：電力供給部
１５：孔
２４：磁石
２５：コイル
３１：発電システム
３２：補助電池
３３：回路基板
３４：固定部
３５：防水手段
７１：オンボードコンタクト
７２：Ｏリング
７３、９３：充電端子
８１：窪み
９５：携帯型端末器
３０１、３０２：卓上ホルダ
【図１】
2011050223.tif 000003
【図２】
2011050223.tif 000004
【図３】
2011050223.tif 000005
【図４】
2011050223.tif 000006
【図５】
2011050223.tif 000007
【図６】
2011050223.tif 000008
【図７】
2011050223.tif 000009
【図８】
2011050223.tif 000010
【図９】
2011050223.tif 000011
【図１０】
2011050223.tif 000012